(57)【特許請求の範囲】
【請求項１】
無線通信システムにおけるデバイストゥデバイス(Ｄ２Ｄ)ディスカバリを行うための方法であって、
前記無線通信システムにおけるセルが、ユーザー装置（ＵＥ）のためのシステム情報メッセージに、Ｄ２Ｄディスカバリのリソースを提供する隣接セルを発見するための情報を含める工程を含み、前記情報は前記隣接セルのキャリア周波数を含み、前記隣接セルも前記無線通信システムにおけるものであることを特徴とする方法。
【請求項２】
Ｄ２Ｄディスカバリリソースの配置が、前記隣接セルによりブロードキャストされるシステム情報メッセージに含まれることを特徴とする請求項１に記載の方法。
【請求項３】
無線通信システムにおけるデバイストゥデバイス（Ｄ２Ｄ）ディスカバリを行うための方法であって、
ユーザー装置(ＵＥ)が、前記無線通信システムにおけるセルによりブロードキャストされたシステム情報メッセージに含まれる情報を受信する工程であって、前記情報は隣接セルのキャリア周波数を含み、前記隣接セルも前記無線通信システムにおけるものである、工程と、
前記情報に基づいて、前記ＵＥが、Ｄ２Ｄディスカバリのためのリソースを提供する前記隣接セルを発見する工程と、
を含むことを特徴とする方法。
【請求項４】
Ｄ２Ｄディスカバリリソースの配置が、前記隣接セルによりブロードキャストされるシステム情報メッセージに含まれることを特徴とする請求項３に記載の方法。
【請求項５】
前記ＵＥは、近辺の別のＵＥにより発見されるように、前記Ｄ２Ｄディスカバリリソースの配置に基づいて、Ｄ２Ｄディスカバリ信号を送信する、または、
前記ＵＥは、近辺の別のＵＥを発見するために、前記Ｄ２Ｄディスカバリリソースの配置に基づいて、Ｄ２Ｄディスカバリ信号を受信する、ことを特徴とする請求項４に記載の方法。
【請求項６】
前記Ｄ２Ｄディスカバリ信号は、前記ＵＥの識別子、および／または、前記ＵＥで動作し且つＤ２Ｄディスカバリサービスを要求するアプリケーションの識別子を含むことを特徴とする請求項５に記載の方法。
【請求項７】
前記Ｄ２Ｄディスカバリ信号は、前記ＵＥにより、または、前記ＵＥで動作し且つＤ２Ｄディスカバリサービスを要求するアプリケーションにより、要求または提案されるサービスを指示するサービス情報を有することを特徴とする請求項５に記載の方法。
【請求項８】
無線通信システムにおいてデバイストゥデバイス(Ｄ２Ｄ)ディスカバリを実行する通信装置であって、
制御回路と、
前記制御回路に組み込まれるプロセッサと、
前記制御回路に組み込まれ且つ前記プロセッサに動作可能に結合されるメモリと、
を有し、前記プロセッサは、前記メモリに保存されるプログラムコードを実行するように構成され、前記プログラムコードは、
前記無線通信システムにおけるセルによりブロードキャストされたシステム情報メッセージに含まれる情報を受信することであって、前記情報は隣接セルのキャリア周波数を含み、前記隣接セルも前記無線通信システムにおけるものである、こと；及び
前記情報に基づいて、Ｄ２Ｄディスカバリのためのリソースを提供する前記隣接セルを発見すること；
をユーザー装置(ＵＥ)が実行できるようにする、ことを特徴とする通信装置。
【請求項９】
Ｄ２Ｄディスカバリリソースの配置が、前記隣接セルによりブロードキャストされるシステム情報メッセージに含まれることを特徴とする請求項８に記載の通信装置。
【請求項１０】
前記ＵＥは、近辺の別のＵＥにより発見されるように、前記Ｄ２Ｄディスカバリリソースの配置に基づいて、Ｄ２Ｄディスカバリ信号を送信する、または、
前記ＵＥは、近辺の別のＵＥを発見するために、前記Ｄ２Ｄディスカバリリソースの配置に基づいて、Ｄ２Ｄディスカバリ信号を受信する、ことを特徴とする請求項９に記載の通信装置。
【請求項１１】
前記Ｄ２Ｄディスカバリ信号は、前記ＵＥの識別子、および／または、前記ＵＥで動作し且つＤ２Ｄディスカバリサービスを要求するアプリケーションの識別子を含むことを特徴とする請求項１０に記載の通信装置。
【請求項１２】
前記Ｄ２Ｄディスカバリ信号は、前記ＵＥにより、または、前記ＵＥで動作し且つＤ２Ｄディスカバリサービスを要求するアプリケーションにより、要求または提案されるサービスを指示するサービス情報を有することを特徴とする請求項１０に記載の通信装置。
【請求項１３】
無線通信システムにおいてデバイストゥデバイス(Ｄ２Ｄ)ディスカバリを実行する通信装置であって、
制御回路と、
前記制御回路に組み込まれるプロセッサと、
前記制御回路に組み込まれ且つ前記プロセッサに動作可能に結合されるメモリと、
を有し、前記プロセッサは、前記メモリに保存されるプログラムコードを実行するように構成され、前記プログラムコードは、前記通信装置に、請求項１又は２に記載の方法を実行させる、通信装置。
【発明の詳細な説明】
【技術分野】
【０００１】
本発明は、無線通信ネットワークに関連し、特に、無線通信システムにおけるデバイストゥデバイス（Ｄ２Ｄ）ディスカバリのための方法及び装置等に関連する。
【背景技術】
【０００２】
移動通信装置上で、大量のデータを伝送する要求が迅速に増加するのに伴い、従来のモバイルボイス通信ネットワークは、インターネットプロトコル(ＩＰ)データパケットと通信するネットワークに進化している。このようなＩＰデータパケット通信は、移動通信装置のユーザーのボイスオーバーＩＰ、マルチメディア、マルチキャストとオンデマンド通信サービスを提供することができる。
【０００３】
エンハンスト地上無線アクセスネットワーク(Ｅ-ＵＴＲＡＮ)は、標準化されているネットワーク構造である。Ｅ-ＵＴＲＡＮシステムは、高データスループットを提供し、ボイスオーバーＩＰとマルチメディアサービスを実現することができる。Ｅ-ＵＴＲＡＮシステムの標準化は、３ＧＰＰスタンダード標準化組織により実行される。したがって、３ＧＰＰスタンダードを進化させ及び統合するため、現在、３ＧＰＰスタンダードの規格に対する変更が提案および考慮されている。
【発明の概要】
【発明が解決しようとする課題】
【０００４】
無線通信システムにおけるデバイストゥデバイス（Ｄ２Ｄ）ディスカバリのための方法及び装置等を提供することを目的とする。
【課題を解決するための手段】
【０００５】
無線通信システムにおけるデバイストゥデバイス（Ｄ２Ｄ）ディスカバリのための方法及び装置が開示される。必須の形態だけでなく好ましい形態も開示される。一態様による方法は、ＵＥ (ユーザー装置)が、セルによリ送信されるシステム情報メッセージ中に含まれる情報を受信する工程を含む。この方法は、さらに、ＵＥが、情報に基づいて、Ｄ２Ｄディスカバリのためにリソースを提供する隣接セルを見つける工程を含む。
【発明の効果】
【０００６】
Ｄ２Ｄディスカバリの機能を増強することができる。
【図面の簡単な説明】
【０００７】
【図１】本発明の一態様による無線通信システムを示す図である。
【図２】本発明の一態様によるトランスミッタシステム(アクセスネットワークとしても知られる)とレシーバシステム(ユーザー装置またはＵＥとして知られる)のブロック図である。
【図３】本発明の一態様による通信システムの機能ブロック図である。
【図４】本発明の一態様による図３のプログラムコードの機能ブロック図である。
【図５】本発明の一態様によるフローチャートである。
【図６】本発明の一態様によるフローチャートである。
【発明を実施するための形態】
【０００８】
以下に示される新規態様による無線通信システムと装置は、無線通信システムを使用して、ブロードキャストサービスをサポートする。無線通信システムが幅広く用いられて、各種通信、たとえば、音声、データ等を提供する。これらのシステムは、符号分割多重アクセス方式(CDMA)、時分割多重アクセス(TDMA)、直交周波数分割多元接続(OFDMA)、3GPP  LTE(Long  Term  Evolution)無線アクセス、3GPP  LTE-AやLTE-Advanced(Long  Term  Evolution  Advanced)、3GPP2  UMB(Ultra  Mobile  Broadband)、WiMax、または、別の変調技術に基づいて設計される。
【０００９】
特に、以下で記述される新規態様による無線通信システムが設計されて、ひとつ以上の標準規格（スタンダード）、たとえば、3GPPと称される“3rd  Generation  Partnership  Project”により制定される規格をサポートし、その規格は、文献番号  SP-110638,  “WID  on  Proposal  for  a  study  on  Proximity-based  Services”;  TR  22.803-c20,  “Feasibility  Study  for  Proximity  Services (ProSe)”;および、R2-132526,  “Resource  Configuration  &  Selection  for  D2D  Direct  Discovery”を含む。上記に列挙された規格と文献は、ここで明示的に取り込まれる。
【００１０】
図１は、本発明の一態様による多重アクセス無線通信システムを示す図である。アクセスネットワーク１００(ＡＮ)は複数のアンテナを備え、一群はアンテナ１０４と１０６を含み、もう一群はアンテナ１０８と１１０、さらにもう一群はアンテナ１１２と１１４を含む。図１において、各アンテナ群は二個のアンテナだけが示されているが、実際は、各アンテナ群のアンテナ数量はいくつでも良い。アクセスターミナル１１６(ＡＴ)とアンテナ１１２と１１４は通信し、アンテナ１１２と１１４は、送信リンク１２０により、アクセスターミナル１１６に情報を送信し、および、逆方向リンク１１８により、アクセスターミナル１１６から情報を受信する。アクセスターミナル(ＡＴ)１２２とアンテナ１０６と１０８は通信し、アンテナ１０６と１０８は、送信リンク１２６により、アクセスターミナル(ＡＴ)１２２に情報を送信し、および、逆方向リンク１２４により、アクセスターミナル(ＡＴ)１２２から情報を受信する。ＦＤＤシステムにおいて、通信リンク１１８、１２０、１２４、１２６は、通信に対し異なる周波数を用いる。例えば、送信リンク１２０は、逆方向リンク１１８と異なる周波数を用いる。
【００１１】
アンテナの各群、および／または、通信するように設計される領域はアクセスネットワークのセクター(sector)と称される。この態様において、アンテナ群は、それぞれ、アクセスネットワーク１００により被覆される領域のセクター内のアクセスターミナルと通信するように設計される。
【００１２】
送信リンク１２０と１２６により通信するとき、アクセスネットワーク１００の送信アンテナは、ビーム形成を利用して、異なるアクセスターミナル１１６と１２２の送信リンク信号対雑音比を改善する。また、単一アンテナにより、すべてのアクセスターミナルと送信を実行するアクセスネットワークと比較すると、ビーム形成技術を利用して、その被覆範囲中でランダムに散乱するアクセスターミナルに送信を実行するアクセスネットワークは、隣接セル中のアクセスターミナルに対する干渉を減少させることができる。
【００１３】
アクセスネットワーク(ＡＮ)は、端子との通信に用いられる固定局、または、基地局で、アクセスポイント、Node  B、基地局、エンハンスト基地局、eNodeB（eNB）、または、その他の用語とも称される。アクセス端子(ＡＴ)は、また、ユーザー装置(ＵＥ)、無線通信装置、端子、アクセス端子、または、その他の用語とも称される。
【００１４】
図２は、ＭＩＭＯシステム２００におけるトランスミッタシステム２１０(アクセスネットワークとしても知られる)、および、レシーバシステム２５０(アクセス端子(ＡＴ)、または、ユーザー装置(ＵＥ)としても知られる)の簡潔なブロック図である。トランスミッタシステム２１０で、データソース２１２は、各種データストリームのトラフィックデータを送信(ＴＸ)データプロセッサ２１４に提供する。
【００１５】
一態様において、各データストリームは、個別の送信アンテナにより送信される。ＴＸデータプロセッサ２１４は、そのデータストリームに対して選択される特定のコード体系に基づいて、各データストリームのトラフィックデータを、フォーマット、符号化、および、インターリーブして、符号化データを提供する。
【００１６】
各データストリームの符号化データは、ＯＦＤＭ技術を用いて、パイロットデータと多重化される。パイロットデータは、通常、既知の方式で処理されるデータパターンで、レシーバシステムで用いられて、チャネル応答を推定する。その後、各データストリーム多重化されたパイロットと符号化データは、そのデータストリームに選択される特定の変調スキーム(たとえば、BPSK、QPSK、M-PSK、または、M-QAM)に基づいて、変調され(すなわち、符号マップ)、変調符号を提供する。各データストリームのデータレート、符号化、および、変調は、プロセッサ２３０により実行される命令により決定される。
【００１７】
その後、全データストリームの変調符号がＴＸ  ＭＩＭＯプロセッサ２２０に提供され、ＴＸ  ＭＩＭＯプロセッサ２２０は、さらに、変調符号(たとえば、ＯＦＤＭに用いる)を処理する。その後、ＴＸ  ＭＩＭＯプロセッサ２２０は、NT変調符号ストリームを、NTトランスミッタ(ＴＭＴＲ)２２２a〜２２２tに送信する。ある実施態様において、ＴＸ  ＭＩＭＯプロセッサ２２０は、ビーム形成ウェイトをデータストリームの符号に加えると共に、アンテナに送信されて、送信を実行する。
【００１８】
各トランスミッタ２２２は、個々の符号ストリームを受信、および、処理すると共に、ひとつ以上のアナログ信号を提供し、さらに、アナログ信号を処理(たとえば、増幅、ろ過、および、アップコンバート)して、ＭＩＭＯチャネルにより送信するのに適する変調した信号を提供する。トランスミッタ２２２a〜２２２tからのNT変調信号は、その後、それぞれ、NTアンテナ２２４a〜２２４tから送信される。
【００１９】
レシーバシステム２５０中、送信された変調信号はNRアンテナ２５２a〜２５２rにより受信され、且つ、各アンテナ２５２から受信された信号が、それぞれのレシーバ(RCVR)２５４a〜２５４rに提供される。各レシーバ２５４は、個々の受信信号を調整(たとえば、ろ過、増幅、および、ダウンコンバート)し、調整済み信号をデジタル化し、サンプルを提供し、さらに、サンプルを処理して、対応する“受信済み”符号ストリームを提供する。
【００２０】
その後、ＲＸデータプロセッサ２６０は、特定のレシーバ処理技術に基づいて、NRレシーバ２５４からNR受信符号ストリームを受信、および、処理し、NT“検出済み”符号ストリームを提供する。その後、ＲＸデータプロセッサ２６０は、各検出された符号ストリームを復調、デインタリーブ、および、復号して、データストリームのトラフィックデータをリカバーする。ＲＸデータプロセッサ２６０による処理は、トランスミッタシステム２１０中のＴＸ  ＭＩＭＯプロセッサ２２０とＴＸデータプロセッサ２１４により実行される処理に補完的である。
【００２１】
プロセッサ２７０は、周期的に、どのプレコーディングマトリクスを使用するか決定する (以下で討論する)。プロセッサ２７０は、マトリクスインデックス部分とランク値部分を備える逆方向リンクメッセージを定める。
【００２２】
逆方向リンクメッセージは、通信リンク、および／または、受信したデータストリームに関連する各種情報を含む、その後、逆方向リンクメッセージはＴＸデータプロセッサ２３８により処理され、ＴＸデータプロセッサ２３８は、データソース２３６から、複数のデータストリームのトラフィックデータを受信し、変調器２８０により変調され、トランスミッタ２５４a〜２５４rにより調整され、トランスミッタシステム２１０に送り返される。
【００２３】
トランスミッタシステム２１０中、レシーバシステム２５０からの変調信号は、アンテナ２２４により受信され、レシーバ２２２により調整され、復調器２４０により復調され、ＲＸデータプロセッサ２４２により処理されて、レシーバシステム２５０により送信される逆方向メッセージを抽出する。その後、プロセッサ２３０は、どのプレコーディングマトリクスを用いるかを決定して、ビーム形成ウェイトを決定し、抽出されたメッセージを処理する。
【００２４】
図３は、本発明の実施態様による通信装置の別の簡潔な機能ブロック図である。図３に示されるように、無線通信システム中の通信装置３００が用いられて、図１のＵＥ(または、ＡＴ)１１６と１２２を実現し、無線通信システムは、好ましくは、ＬＴＥシステムである。通信装置３００は、入力装置３０２、出力装置３０４、制御回路３０６、中央処理ユニット(ＣＰＵ)３０８、メモリ３１０、プログラムコード３１２、および、トランシーバ３１４を備える。制御回路３０６は、ＣＰＵ３０８により、メモリ３１０中のプログラムコード３１２を実行し、これにより、通信装置３００の操作を制御する。通信装置３００は、入力装置３０２、たとえば、キーボードかキーパッドにより、ユーザーにより入力される信号を受信し、出力装置３０４、たとえば、モニターやスピーカーにより、イメージと音声を出力することができる。トランシーバ３１４が用いられて、無線信号を送受信し、受信した信号を制御回路３０６に送信し、制御回路３０６により生成された信号を無線方式で出力する。
【００２５】
図４は、本発明の実施態様による図３に示されるプログラムコード３１２の簡潔なブロック図である。この実施態様において、プログラムコード３１２は、応用層４００、第三層部分４０２、および、第二層部分４０４を備え、且つ、第一層部分４０６に結合される。第三層部分４０２は、通常、無線リソース制御を実行する。第二層部分４０４は、通常、リンク制御を実行する。第一層部分４０６は、通常、物理接続を実行する。
【００２６】
一般に、3GPP  SP-110638は、プロキシミティ-ベースのサービス(ProSe)中の新しい研究項目を提出する。この研究の目的と理由は、3GPP  SP-110638で以下のように記述される:
3      理由
プロキシミティ-ベースアプリケーションとサービスは、最近、且つ、巨大な社会技術の発展趨勢を表す。これらのアプリケーションの原理は、互いの間のプロキシミティ内で作動するアプリケーションのインスタンスをディスカバリすると共に、最終的に、さらに、アプリケーション-関連データを交換する。同時に、公共の安全なコミュニティで、プロキシミティ-ベースのディスカバリと通信に対して興味がある。
現在の3GPP規格は、一部だけがこのような需要に適し、このようなトラフィックとシグナリングはすべて、ネットワーク中でルーティングされなｋればならないので、よって、これらのパフォーマンスに影響し、且つ、ネットワーク中で不要な負荷が増加する。現在のこれらの制限は、さらに、さらに先進のプロキシミティベースのアプリケーションの創造に支障をきたす。
この背景下で、3GPP技術は、装置間のプロキシミティベースのディスカバリと通信を可能にする選択の基盤となる機会があると共に、無数の未来とさらに先進のプロキシミティベースのアプリケーションを促進する。
4      目標
目標は、使用事例を研究すると共に、プロキシミティ中、連続ネットワーク制御下、および、3GPPネットワークサービスエリア中、装置間のディスカバリと通信により制御される操作ネットワークの潜在要求を識別する:
1.商用/ソーシャル使用
2.ネットワークオフローディング
3.公共安全
4.現在のインフラサービスの整合。到達可能性と可動性方面を含むユーザー・エクスペリエンスの一貫性を確保する。
このほか、この研究項目は、使用事例を研究し、および、潜在的要求を識別する。
5.公共安全。EUTRANサービスエリアがない状況下(地域制限および、オペレータポリシーの影響下にあり、および、指定周波数帯域と端子中の特定の公共安全に制限される)
使用事例とサービス要求が研究され、ネットワークオペレータ制御、認証、承認、会計と管理方面を含む。
この研究は、GERANやUTRANに適用しない。
【００２７】
このほか、3GPP  TR  22.803-c20は使用事例を討論すると共に、プロキシミティ中、ＵＥ間のディスカバリと通信を制御するオペレータネットワークの潜在的要求を識別する。3GPP  TR  22.803-c20は、ProSe(プロキシミティ-ベースのサービス)ディスカバリを定義し、開放性[ProSe]ディスカバリと制限性[ProSe]ディスカバリは以下のようである:
3.1      定義
…
ProSeディスカバリ:E-UTRAを用いて、別のＵＥのプロキシミティ中のプロセスを識別する。
…
開放性[ProSe]ディスカバリ:ディスカバリされるＵＥからのはっきりとした許可が不要なProSeディスカバリである。
制限性[ProSe]ディスカバリ:ディスカバリされるＵＥからのはっきりとした許可が必要なProSeディスカバリである。
…
【００２８】
さらに、3GPP  R2-132526 は、デバイストゥデバイス(Ｄ２Ｄ)直接ディスカバリ(すなわち、ProSeディスカバリ)のリソース配置と選択を討論する。直接Ｄ２Ｄ(デバイストゥデバイス)ディスカバリサービスをサポートするため、3GPP  R2-132526は、システム情報(ＳＩ)メッセージ中で、Ｄ２Ｄディスカバリリソース配置を送信することを提案する。別の新しい情報がシステム情報に加えられて、Ｄ２Ｄディスカバリを増強する。
【００２９】
一般に、ネットワークは、全周波数層中で、Ｄ２Ｄディスカバリリソースを提供する必要がない。この状況において、ＵＥが、Ｄ２Ｄディスカバリリソースを有さないセルにキャンプ／接続される場合、どのように、このＵＥが、Ｄ２Ｄディスカバリサービスを取得するかが考慮される必要がある。
【００３０】
R2-132526は、それらのＲＲＣ状態にかかわりなく、Ｄ２Ｄ-有効ＵＥが、Ｄ２Ｄディスカバリを実行できるべきであるという一般的見地を有する。ＵＥがアイドルモードである時、ＵＥがＤ２Ｄディスカバリを実行したい場合、ＵＥは、Ｄ２Ｄディスカバリリソースを有するセルを検索する必要がある。本発明によると、セル検索時間を減少させるため、Ｄ２Ｄディスカバリリソースがないセルにとって、セルのシステム情報メッセージ中に、情報(たとえば、隣接セルのキャリア周波数)を含んで、ＵＥが、Ｄ２Ｄディスカバリのためにリソースを提供する隣接セルを見つけるようにすることが有益である。
【００３１】
一態様において、Ｄ２Ｄディスカバリリソース配置を送信するＳＩメッセージは、隣接セルのキャリア周波数の送信に用いられるＳＩメッセージと同じである。別の態様において、これらの二個のＳＩメッセージは異なる。
【００３２】
図５は、本発明の一態様によるフローチャート５００である。ステップ５０５において、ＵＥ(ユーザー装置)は、セルにより送信（ブロードキャスト）されるシステム情報メッセージ中に含まれる情報を受信する。ステップ５１０において、その情報に基づいて、ＵＥは、Ｄ２Ｄディスカバリのためにリソースを提供する隣接セルをディスカバリする。「ディスカバリ」は「発見」等と言及されてもよい。好ましい態様において、情報は、隣接セルのキャリア周波数を含む。
【００３３】
別の好ましい態様において、Ｄ２Ｄディスカバリリソース配置（リソースの配置情報）が、隣接セルによりブロードキャスト（送信）されるシステム情報メッセージに含まれている。さらに好ましくは、ＵＥは、Ｄ２Ｄディスカバリリソース配置に基づいて、近辺の他のＵＥにより発見されるようにＤ２Ｄディスカバリ信号を送信(または、受信)する(または、近辺の他のＵＥを発見するために受信する)。さらに、Ｄ２Ｄディスカバリ信号は、ＵＥの識別子、および／または、ＵＥで動作し且つＤ２Ｄディスカバリサービスを要求するアプリケーションの識別子を含む又は有する。Ｄ２Ｄディスカバリ信号は、さらに、サービスを指示するサービス情報を含む又は有することが可能であり、サービスは、ＵＥにより、または、ＵＥで動作し且つＤ２Ｄディスカバリサービスを要求するアプリケーションにより要求または提案される。
【００３４】
図３と図４に戻り、一態様において、装置３００は、メモリ３１０中に保存されるプログラムコード３１２を含んで、無線通信システムにおいて、デバイストゥデバイス(Ｄ２Ｄ)ディスカバリを実行する。ＣＰＵ３０８は、プログラムコード３１２を実行して、ＵＥが、(i)セルにより送信されるシステム情報メッセージ中に含まれる情報を受信し、および、(ii)情報に基づいて、Ｄ２Ｄディスカバリのためにリソースを提供する隣接セルを見つけることができるようにする。このほか、ＣＰＵ３０８は、プログラムコード３１２を実行し、上記の動作及びステップまたは明細書中のその他の記述による処理の全てを実行することが可能である。
【００３５】
図６は、本発明の別の態様によるフローチャート６００である。ステップ６０５において、セルは、Ｄ２Ｄディスカバリのためにリソースを提供する隣接セルをＵＥが発見するための情報をシステム情報メッセージに含める。好ましい態様において、システム情報メッセージ中の情報は、隣接セルのキャリア周波数を含む。さらに、代替的又は追加的に、好ましくは、Ｄ２Ｄディスカバリリソース配置（リソース配置情報）が、隣接セルによりブロードキャスト（送信）されるシステム情報メッセージ中に含まれる。
【００３６】
図３と図４に戻り、一態様において、装置３００は、メモリ３１０中に保存されるプログラムコード３１２を有して、無線通信システムにおけるデバイストゥデバイス(Ｄ２Ｄ)ディスカバリをサポートする。ＣＰＵ３０８は、プログラムコード３１２を実行して、セルが、システム情報メッセージ中に情報を含むようにし、ＵＥが、Ｄ２Ｄディスカバリのためにリソースを提供する隣接セルを見つけることができる。
【００３７】
本発明の各種態様は上述されている。注意すべきことは、ここでの教示は多種の方式で具体化され、範例中で開示される特定の構造、機能、または、両方は、単なる代表的なものであることである。当業者なら理解できるように、本文の教示に基づいて、開示される態様は、別の態様から独立して、および、これらの態様の二個以上を各種方式で組み合わせて実施することができる。たとえば、装置、または、方法は、前述されたあらゆる方式により実現される。このほか、このような装置の実施、または、このような方法の実行は、別の構造、機能性、または、構造と機能性を利用して、前文で討論された一種、または、多種の形式上で実現できる。以上の観点を例で説明すると、ある態様において、並行チャネルは、パルス繰り返し周波数に基づいて構築される。ある態様において、並行チャネルは、パルス位置、または、オフセットに基づいて構築される。ある態様において、並行チャネルは、時間ホッピングシーケンスに基づいて構築される。ある態様において、並行チャネルは、パルス繰り返し周波数、パルス位置、または、オフセット、および、時間ホッピングシーケンスに基づいて構築される。
【００３８】
当業者なら理解できるように、情報と信号は、多種の異なる技術と技巧を用いて表現される。たとえば、上述で引用されるデータ、命令、指令、情報、信号、ビット、符号、および、チップは、電圧、電流、電磁波、磁界、または、粒子、光場、または、粒子、或いは、それらの組み合わせにより示される。
【００３９】
当業者ならさらに理解できるように、本発明の態様に関連する各種実例の論理ブロック、モジュール、プロセッサ、手段、回路、および、演算ステップは、電子ハードウェア(たとえば、情報源符号化、または、その他の技術を用いて設計されるデジタル実現、アナログ実現、または、それらの組み合わせ)、各種形式のプログラム、または、命令(文中では、便宜のため、“ソフトウェア”または“ソフトウェアモジュール”と称する)を組み込んだ設計コード、または、それらの組み合わせとして実施される。ハードウェアとソフトウェアの互換性をはっきりと説明するため、各種実例的素子、ブロック、モジュール、回路、および、ステップは、それらの機能性を主として記述されている。このような機能性が、ハードウェア、または、ソフトウェアとして実施されるにかかわらず、総合システムに与えられる特定アプリケーション、および、設計制限に基づく。熟練した職人は、各特定のアプリケーションに、各種方式で、記述された機能性を実施するが、このような実現決定は、本発明の範囲から逸脱すると解釈されるべきではない。
【００４０】
このほか、本発明の態様に関連する各種実例的論理ブロック、モジュール、および、回路は、集積回路(“ＩＣ”)、アクセス端子、または、アクセスポイント中で、または、集積回路(“ＩＣ”)、アクセス端子、または、アクセスポイントにより実施される。ＩＣは、汎用プロセッサ、デジタル信号プロセッサ(ＤＳＰ)、特定用途向け集積回路(ＡＳＩＣ)、フィールドプログラマブルゲート・アレイ(ＦＰＧＡ)、または、別のプログラム可能論理回路、離散ゲート、または、トランジスタロジック、離散ハードウェアコンポーネンツ、電気成分、光学部品、機械的コンポーネンツ、または、それらの組み合わせを有し、上述の機能を実行すると共に、ＩＣ内、ＩＣ外、または、両方に存在するコード、または、命令を実行する。汎用プロセッサはマイクロプロセッサであるが、別の態様において、プロセッサは、従来のプロセッサ、コントローラー、マイクロコントローラー、または、状態機械である。プロセッサは、さらに、計算装置の組み合わせ、たとえば、ＤＳＰとマイクロプロセッサの組み合わせ、複数のマイクロプロセッサ、ＤＳＰコアと連動するひとつ以上のマイクロプロセッサ、または、この類の配置として実施される。
【００４１】
開示されるプロセス中の任意の特定順序、または、階層のステップは、サンプルアプローチの例であることが理解できる。デザイン嗜好に基づいて、理解できることは、本発明の範囲内で、プロセス中の特定順序、または、階層のステップが再手配される。付随の方法の請求範囲は、サンプル順序で、各種ステップの素子を示し、提示される特定順序、または、階層に制限されることを意味するものではない。
【００４２】
本発明の態様に関連する方法、または、演算のステップは、直接、ハードウェア、プロセッサにより実行されるソフトウェアモジュール、または、それらの組み合わせで具体化される。ソフトウェアモジュール(たとえば、実行可能命令と関連データを含む)と別のデータは、データメモリ、たとえば、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ-ＲＯＭ、または、従来のその他の形式のコンピュータ可読ストレージ媒体中に存在する。サンプルストレージ媒体は、機械、たとえば、コンピュータ/プロセッサ(説明を簡潔にするため、“プロセッサ”として示す)に結合され、このようなプロセッサは、ストレージ媒体から情報 (たとえば、符号)を読み取り、情報をストレージ媒体に書き込むことができる。サンプルストレージ媒体はプロセッサに不可欠である。プロセッサとストレージ媒体はＡＳＩＣ中に存在する。ＡＳＩＣはユーザー装置中に存在する。或いは、プロセッサとストレージ媒体は、ユーザー装置中の個別部品として存在する。さらに、ある態様において、適当なコンピュータプログラム製品は、本発明のひとつ以上の態様に関連する符号を含むコンピュータ可読媒体を有する。ある態様において、コンピュータプログラム製品は、パッケージ材料を含む。
【００４３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４４】
100  アクセスネットワーク
104、106、108、110、112、114  アンテナ
116  アクセスターミナル
118  逆方向リンク
120  送信リンク
122  アクセスターミナル
124  逆方向リンク
126  送信リンク
210  トランスミッタシステム
212  データソース
214  ＴＸデータプロセッサ
220  ＴＸ ＭＩＭＯプロセッサ
222a〜222t  トランスミッタ
224a〜224t  アンテナ
230  プロセッサ
232  メモリ
236  データソース
238  ＴＸデータプロセッサ
242  ＲＸデータプロセッサ
240  復調器
250  レシーバシステム
252a〜252r  アンテナ
254a〜254r  レシーバ
260  ＲＸデータプロセッサ
270  プロセッサ
272  メモリ
280  変調器
300  通信装置
302  入力装置
304  出力装置
306  制御回路
308  ＣＰＵ
310  メモリ
312  プログラムコード
314  トランシーバ
400  応用層
402  第三層
404  第二層
406  第一層
500  フローチャート
505、510  ステップ
600  フローチャート
605  ステップ
【図１】
0006021862.tif 000002
【図２】
0006021862.tif 000003
【図３】
0006021862.tif 000004
【図４】
0006021862.tif 000005
【図５】
0006021862.tif 000006
【図６】
0006021862.tif 000007